(57)【要約】【課題】雨や屋根からの雨水が上吊り式軒樋支持金具に落下衝突したとき飛散しにくく、衝突飛散した雨水の一部が鼻板に飛散付着するのを軽減でき、且つ、該雨水が円滑に軒樋に導入されるようにした上吊り式軒樋支持金具を提供することをその課題とする。【解決手段】軒樋の前後の立壁に架橋して該軒樋を支承すると共に、建物の軒先に取り付けられる上吊り式軒樋支持金具において、軒樋の前後に架橋された支持腕部２３の頂面を傾斜面２３１にしたことを特徴とする上吊り式軒樋支持金具。特に、上記傾斜面２３１を支持腕部２３の架橋方向に直交する両方向に下り傾斜した山形にしたことを特徴とする。【選択図】図１
2008127818.tif 000002
【特許請求の範囲】
【請求項１】
軒樋の前後の立壁に架橋して該軒樋を支承すると共に、建物の軒先に取り付けられる上吊り式軒樋支持金具において、軒樋の前後に架橋された支持腕部の頂面を傾斜面にしたことを特徴とする上吊り式軒樋支持金具。
【請求項２】
上記傾斜面を支持腕部の架橋方向に直交する方向に下り傾斜にしたことを特徴とする請求項１記載の上吊り式軒樋支持金具。
【請求項３】
上記傾斜面を支持腕部の架橋方向に直交する両方向に下り傾斜した山形にしたことを特徴とする請求項１記載の上吊り式軒樋支持金具。
【請求項４】
上記支持腕部の上面に傾斜部材を装着することにより上記傾斜面を形成したことを特徴とする請求項１ないし請求項３記載の上吊り式軒樋支持金具。
【請求項５】
上記支持腕部の上面に傾斜部材を着脱自在に装着することにより上記傾斜面を形成したことを特徴とする請求項４記載の上吊り式軒樋支持金具。
【発明の詳細な説明】
【技術分野】
【０００１】
本発明は軒樋の前後の立壁に架橋して該軒樋を支承すると共に、建物の軒先に取り付けられる上吊り式軒樋支持金具に係り、特に、雨や屋根から流れ落ちる雨水が該上吊り式軒樋支持金具に当たり周囲に飛び散って軒先の鼻板等を濡らすことを減少させた上吊り式軒樋支持金具に関するものである。
【背景技術】
【０００２】
従来から、軒樋を建物の軒先に取り付けるのに、軒樋の前後の立壁に架橋して、この軒樋を吊り下げて支承する上吊り式軒樋支持金具が用いられている。この上吊り式軒樋支持金具を用いた軒樋の支持構造の一例として下記特許文献が知られている。
【特許文献１】特開８−４２０８６号公報（第１頁、第１図）
【発明の開示】
【発明が解決しようとする課題】
【０００３】
上記特許文献１における軒樋の支持構造は、建物の軒先である鼻板に軒樋支持金具が固定され、軒樋の前壁の前耳部と軒樋の後壁の後耳部とを該軒樋支持金具の前後で架橋係止することにより、該軒樋を該軒樋支持金具で吊り下げ状態で支承したものである。しかし、この軒樋支持金具はその架橋片に軒樋の重量を支承する為の充分な強度を持たせることが必要なため、該架橋片は架橋方向と直交する方向にある程度の幅を有するのが、従来の軒樋支持金具であった。
【０００４】
しかし、この架橋片を構成する該幅の頂面が水平な面状であるため、雨や屋根から流れ落ちる雨水が該水平面に当たり周囲に飛び散って軒先の鼻板等を濡らし、該鼻板の経年変化による腐食を早めるという問題があり、又、雨水が軒樋に円滑に導入されず、更に、見た目にも体裁が良くないという問題があった。
【０００５】
一方、雨水が軒先の鼻板に当たらないように、軒樋と鼻板との間に水切り板を軒樋の長手方向に沿って装着する構造も考えられていたが、特に豪雨のとき等は軒樋支持金具に衝突飛散した雨水の一部が鼻板に飛散付着するという問題が残っていた。
【０００６】
本発明はこのような問題点を解決せんとするものであり、雨や屋根からの雨水が軒樋支持金具に落下衝突したとき該雨水等が飛散しにくく、衝突飛散した雨水等の一部が鼻板に飛散付着するのを軽減でき、且つ、該雨水等が円滑に軒樋に導入されるようにした上吊り式軒樋支持金具を提供することをその課題とする。
【課題を解決するための手段】
【０００７】
上記課題を解決するために、本発明に係る上吊り式軒樋支持金具の第一の特徴構成は、請求項１に記載した如く、軒樋の前後の立壁に架橋して該軒樋を支承すると共に、建物の軒先に取り付けられる上吊り式軒樋支持金具において、軒樋の前後に架橋された支持腕部の頂面を傾斜面にした点にある。
【０００８】
本発明の第二の特徴構成は、請求項２に記載した如く、第一の特徴構成に加えて、上記傾斜面を支持腕部の架橋方向に直交する方向に下り傾斜にした点にある。
【０００９】
本発明の第三の特徴構成は、請求項３に記載した如く、第一の特徴構成に加えて、上記傾斜面を支持腕部の架橋方向に直交する両方向に下り傾斜した山形にした点にある。
【００１０】
本発明の第四の特徴構成は、請求項４に記載した如く、第三の特徴構成に加えて、上記支持腕部の上面に傾斜部材を装着することにより上記傾斜面を形成した点にある。
【００１１】
本発明の第五の特徴構成は、請求項５に記載した如く、第四の特徴構成に加えて、上記支持腕部の上面に傾斜部材を着脱自在に装着することにより上記傾斜面を形成した点にある。
【発明の効果】
【００１２】
請求項１に記載の上吊り式軒樋支持金具は、前記構成であるから、支持腕部の頂面の傾斜面に落下衝突した雨や屋根から流れ落ちた雨水に対する反射衝撃が該傾斜面によって緩和され、該雨水等の飛散量が少なくなる。従って、該雨水等による飛散水が鼻板等に付着する量が減り鼻板の腐食を遅らせることができる。
【００１３】
又、雨水等の当該飛散量が傾斜面によって軽減されるので、雨水等の上吊り式軒樋支持金具に対する衝突音も軽減され豪雨時における騒音も軽減され、又、見た目にも体裁がよいという効果がある。
【００１４】
請求項２に記載の上吊り式軒樋支持金具は、請求項１の上吊り式軒樋支持金具が有する効果に加え、上記傾斜面が支持腕部の架橋方向に直交する方向に下り傾斜しているから、該傾斜面に落下衝突した雨水等が飛散するとき、その飛散方向が軒樋の長手方向に沿うことになる。従って、該飛散した雨水等は軒樋に円滑に導入され軒樋からこぼれ落ちる量が少なくなると共に、該飛散した雨水等が鼻板に付着する量を軽減できる等の効果がある。
【００１５】
請求項３に記載の上吊り式軒樋支持金具は、上記傾斜面を支持腕部の架橋方向に直交する両方向に下り傾斜した山形としたから、請求項１の上吊り式軒樋支持金具が有する効果に加え、該山形傾斜面に落下衝突した雨水等が飛散するとき、軒樋の長手方向に沿って左右に分割されて飛散することになり、雨水が一層効率よく円滑に軒樋に導入されることになる。従って、飛散した雨水等は軒樋からこぼれ落ちる量が少なくなると共に、該飛散した雨水等が鼻板に付着する量を軽減できる等の効果がある。
【００１６】
請求項４に記載の上吊り式軒樋支持金具は、上吊り式軒樋支持金具の本体の支持腕部の上面に、別部品である傾斜部材を装着することにより、上記傾斜面を形成しているから、上記の効果に加え、予め多種類の寸法形状の傾斜部材を製造準備しておくことにより、軒樋が設置される風向きやその他の環境条件に応じた最も適した傾斜部材を支持腕部に選択装着でき、雨水等の上吊り式軒樋支持金具の本体への衝突による飛散を軒樋の取り付け環境に応じて効率よく減少することができる。
【００１７】
請求項５に記載の上吊り式軒樋支持金具は、上記傾斜面を支持腕部の上面に傾斜部材を着脱自在に装着して形成したから、上記の効果に加え、予め多種類の寸法形状の傾斜部材を製造準備しておくことにより、該傾斜部材が経年変化や不慮の事故で破損したとき、該傾斜部材を新品のものと交換でき、当該雨水等の飛散を長年に亘って軽減でき、家屋の寿命を延ばすことができる。
【発明を実施するための最良の形態】
【００１８】
先ず最初にこの種の上吊り式軒樋支持金具の従来例について、図４及び図５を参照して説明する。同図において、１はポリカーボネートで一体成形された上吊り式軒樋支持金具、２は上吊り式軒樋支持金具の本体であり、該本体２は鼻板等の軒先３に固定される取付板２１と、軒樋４の前立壁４１の上端部に形成した前耳部４１１を係合支承する前支承部２２と、これらの取付板２１と前支承部２２とを連結する支持腕部２３とからなっている。支持腕部２３の下部には、一定間隙を隔てて補助支持腕部２４が支持腕部２３と同様に取付板２１と前支承部２２との間の形成されている。該補助支持腕部２４の後部には軒樋４の後立壁４２の上端部に形成した後耳部４２１を係合支承する後支承部２５が形成されている。
【００１９】
補助支持腕部２４は支持腕部２３と共同して軒樋４の重量を支承するためのものであるが、支持腕部２３の強度が軒樋４を支承するのに充分な場合は該補助支持腕部２４は必ずしも必要ではなく、また、支持腕部２３と補助支持腕部２４とを一体的に形成してもよい。
【００２０】
上吊り式軒樋支持金具１で軒樋４を支承した状態では、図５に示す如く、本体２の取付板２１は鼻板等の軒先３にビス（図示せず）で固定され、軒樋４の前立壁４１の上端部に形成した前耳部４１１を本体２の前支承部２２に係合支承させ、軒樋４の後立壁４２の上端部に形成した後耳部４２１を本体２の後支承部２５に係合支承させる。即ち、本体２の支持腕部２３は軒樋４の前後に架橋された状態で軒樋４を支承している。上吊り式軒樋支持金具１は軒樋４の長手方向に適宜間隔で固定されるが、軒樋４の重量や軒樋４内に導入された雨水の重量を支えるため、即ち、その支承強度を一定以上に維持するため、支持腕部２３は軒樋４の長手方向に沿って一定の幅を有しているが、従来の上吊り式軒樋支持金具の支持腕部２３の該幅の頂面（上面）は、水平な平面であった。
【００２１】
次に本発明に係る上吊り式軒樋支持金具について、図１ないし図３を参照して説明する。図１は本発明にかかる上吊り式軒樋支持金具の第一実施例を示す側面図、図２は第一実施例における上吊り式軒樋支持金具の支持腕部を横断する断面図、図３は本発明にかかる上吊り式軒樋支持金具の第二実施例における支持腕部を横断する断面図である。
【００２２】
本発明の上吊り式軒樋支持金具１は、上記従来の上吊り式軒樋支持金具において、その支持腕部２３の頂面を傾斜面２３１としたものである。図１、図２に示す第一実施例は、支持腕部２３の横断面頂面が山形形状になるように傾斜面２３１を形成したものであり、上吊り式軒樋支持金具１をポリカーボネートで一体成形して該傾斜面２３１を形成する。該傾斜面２３１の山形形状は傾斜面２３１が支持腕部２３の架橋方向に直交する両方向に下り傾斜した山形である。従って、該傾斜面２３１に雨や屋根からの雨水が落下衝突したとき、その飛散が和らげられるとともに、該雨水等は軒樋４の長手方向の両側方向に流れ落ち効率よく軒樋４に導入される。傾斜面２３１によって該飛散を和らげられた雨水等は鼻板等の軒先に飛散付着しにくくなっている。
【００２３】
当該雨水等の飛散を軽減させる効果を達成するためには、傾斜面２３１の形状は上記山形形状に限定されるものではなく、支持腕部２３の頂面の傾斜面２３１は片流れの傾斜面でもよく、また、傾斜面２３１の下り傾斜方向は軒樋４の長手方向に限定されず軒樋４の長手方向に直交する方向でその傾斜勾配の向きは前後方向のいずれに向いていても良い。当該傾斜を軒樋４の長手方向に直交する方向で前向きに下り傾斜になるよう形成したときは、該傾斜面２３１に衝突飛散した雨水等は鼻板等の軒先３方向に行きにくくなる。
【００２４】
一方、支持腕部２３に流れ落ちた雨水等を軒樋４に円滑に導入するという目的に関しては、当該傾斜を軒樋４の長手方向に下り傾斜になるよう形成するのがよく、更に、軒樋４内を流れる雨水等の流れの方向に下り傾斜となるよう片流れ傾斜面２３１にするのがよい。
【００２５】
図３に示した本発明の第二実施例は、支持腕部２３に、当該傾斜面２３１を有する別部材の傾斜部材２３２を着脱自在に装着したものである。該傾斜部材２３２の材質は限定されず、アルミニウム板、鉄板の金属板や合成樹脂製のものが用いられる。金属板を使用するときは、該傾斜部材２３２を支持腕部２３に嵌着した後に図３に示す如くその下端縁部を折り曲げることにより支持腕部２３に装着する。傾斜部材２３２の材質を合成樹脂製のものとするときは、該傾斜部材２３２を支持腕部２３に公知の手段を用いて着脱自在自在に嵌合するのである。
【００２６】
該傾斜部材２３２は、別部材として、各種寸法形状のものや、色彩を施したものを予め容易しておき、施工現場に合わせて或いは顧客の希望に合わせて最適な傾斜部材２３２を採用すればよい。該傾斜部材２３２は支持腕部２３に固定状態で装着してもよく或いは着脱自在に装着してもよい。傾斜部材２３２を支持腕部２３に着脱自在に嵌合装着したときは、傾斜部材２３２の交換や上吊り式軒樋支持金具の模様替えが容易になる。
【図面の簡単な説明】
【００２７】
【図１】本発明にかかる上吊り式軒樋支持金具の第一実施例を示す側面図。
【図２】第一実施例における上吊り式軒樋支持金具の支持腕部の断面図。
【図３】本発明にかかる上吊り式軒樋支持金具の第二実施例における支持腕部の断面図。
【図４】従来の上吊り式軒樋支持金具を示す斜視図。
【図５】図４に示した従来の上吊り式軒樋支持金具で軒樋を支承した状態を示す側面図。
【符号の説明】
【００２８】
１        上吊り式軒樋支持金具
２        上吊り式軒樋支持金具の本体
２１      本体に形成した取付板
２２      前支承部
２３      本体に形成した支持腕部
２３１    支持腕部に形成した傾斜面
２３２    傾斜面を有する傾斜部材
２４      本体に形成した補助支持腕部
２５      本体に形成した後支承部
３        軒先
４        軒樋
４１      軒樋の前立壁
４１１    前耳部
４２      軒樋の後立壁
４２１    後耳部
【図１】
2008127818.tif 000003
【図２】
2008127818.tif 000004
【図３】
2008127818.tif 000005
【図４】
2008127818.tif 000006
【図５】
2008127818.tif 000007